(57)【要約】【課題】筐体の厚みを厚くすることなくカメラ機能部の光学特性を簡単に切り替えることができ、種々の特殊画像を撮影することのできるカメラ付携帯端末装置を提供すること。【解決手段】本発明は、第１の筐体２及び第２の筐体３からなる端末本体にカメラ機能部が設けられたカメラ付カメラ付携帯端末装置１である。カメラ機能部は、第１の筐体２に回転自在に設けられた回転体６と、この回転体６に固定され、該回転体６の回転によって前記第１の筐体２の表面２ａと裏面２ｂにそれぞれ撮像面１０ａを向ける撮像素子１０と、第１の筐体２と前記第２の筐体３が重ねられたときに前記撮像素子１０と対向配置されて撮影可能状態となる、前記第２の筐体３に設けられた第１のレンズ５とを有する。カメラ機能部は、回転体６の回転によって撮像素子１０が、第１のレンズ５または第２のレンズ１６と対向配置されることによって撮影可能となる。【選択図】  図５
2004325931.tif 000002
【特許請求の範囲】
【請求項１】
二つの筐体からなる端末本体にカメラ機能部が設けられたカメラ付携帯端末装置であって、
前記カメラ機能部は、
一方の筐体に回転自在に設けられた回転体と、
前記回転体に固定され、該回転体の回転によって前記一方の筐体の表面と裏面にそれぞれ撮像面を向ける撮像素子と、
前記二つの筐体が重ねられたときに前記撮像素子と対向配置されて撮影可能状態となる、前記他方の筐体に設けられた第１のレンズとを有した
ことを特徴とするカメラ付携帯端末装置。
【請求項２】
請求項１記載のカメラ付携帯端末装置であって、
前記カメラ機能部は、前記回転体の回転によって前記撮像素子と対向配置されて撮影可能状態となる、前記回転体が設けられた一方の筐体に固定された第２のレンズを有する
ことを特徴とするカメラ付携帯端末装置。
【請求項３】
請求項１記載のカメラ付携帯端末装置であって、
前記第１のレンズは複数枚のレンズからなり、前記第２のレンズは１枚のレンズとされ、
前記第１のレンズは、前記第２のレンズより解像度の高いレンズとされている
ことを特徴とするカメラ付携帯端末装置。
【請求項４】
請求項１記載のカメラ付携帯端末装置であって、
前記第１のレンズは、この第１のレンズが設けられた筐体に対して着脱自在とされるレンズ保持部材に固定されている
ことを特徴とするカメラ付携帯端末装置。
【請求項５】
請求項４記載のカメラ付携帯端末装置であって、
前記第１のレンズは、光学特性の異なる数種類のレンズからなり、それら数種類のレンズが所定位置に配列されて前記レンズ保持部材に固定されている
ことを特徴とするカメラ付携帯端末装置。
【発明の詳細な説明】
【０００１】
【発明の属する技術分野】
本発明は、カメラ付携帯端末装置に関し、詳細には、携帯端末装置全体の厚みを薄くすることのできるカメラ付携帯端末装置に関する。
【０００２】
【従来の技術】
例えば、携帯電話機などの携帯端末装置においては、カメラ機能部を筐体に内蔵させ、そのカメラ機能部で撮影した静止画像や動画像を、通信機能を用いて相手先に送信する技術が実用化されている（例えば、特許文献１参照）。これにより、携帯電話機では、文字情報のみならず人の顔などを撮影した画像情報を電子メール機能などを利用して相手方に送信することができるといった使い方が可能となる。
【０００３】
ところで、近年、カメラに対する解像度のさらなる要求があり、メガピクセルという高解像度が携帯電話機に求められるようになってきた。カメラ機能部の解像度が増大した場合、その光学的精度を維持するためには、撮像素子（センサー部）の周縁部を含め画像を均一に素子上に投影する必要があることから、一般に複数枚のレンズが必要になる。
【０００４】
このように、複数枚のレンズを使用すると、撮像素子とレンズとからなるカメラモジュールの厚みが増す。従来、撮像素子とレンズは一体化して使用されていたため、撮像素子とレンズからなるカメラモジュールを携帯電話機の筐体内に内蔵させた場合には、筐体の小型化の妨げになる。また、カメラモジュールは、一般的に回路基板上に設けられることが多いため、特に厚み方向の小型化の妨げになる。
【０００５】
ところで、カメラ機能部を携帯電話機に搭載した場合、使用者の顔写真や風景などの一般的な撮影だけでなく、これらに付加価値を付けて他の様々な被写体を撮影することができるようになれば、そのカメラの機能を充分に発揮させることができ、これによって使用者の需要も増大することになる。カメラの機能を高める方法として考えられることは、例えば、種々の用途向けに作られたレンズを筐体に装着して望遠機能や広角機能、或いは近接ズーム機能などを付加することである。
【０００６】
しかしながら、このような高機能化を図るに際して、これら望遠レンズなどの特殊レンズを取り付けると、筐体に対してレンズ部分が突出した状態となり、携帯電話機全体が大型化し、取り扱いも不便になる。また、望遠レンズなどの特殊レンズを使用しない場合には、特殊レンズを別途携帯し、該特殊レンズを使用する場合には、前記特殊レンズを筐体に着脱する必要がある。このように、撮影モードを変えようとする度にレンズ交換をしなくてはならないため、使い勝っての点で実用的には使い難くなることが予想される。
【０００７】
そこで、この課題を解決するために、ＣＣＤカメラを本体ケースに対して回動可能に設け、撮影モードに応じてＣＣＤカメラを、該本体ケースに取り付けた望遠レンズ又は広角レンズと対向する位置に回転させるようにした、移動体通信装置が提案されている（例えば、特許文献２参照）。
【０００８】
しかしながら、この移動体通信装置では、同一の本体ケースにＣＣＤカメラと２種類の特殊レンズを内蔵させた構成であるため、メガピクセルでの撮影用に複数枚のレンズを組み合わせた高精度レンズを使用すれば、筐体の大型化を招くことになる。
【０００９】
この他、同一の本体ケースに異なる方向に向けた複数のカメラモジュールを設置し、その各カメラモジュールと対応した位置に撮像素子を配置することで、機械的な操作を行わずに、各特殊レンズによる撮影を行う方法が実用化されている。この方法の場合、複数のセンサー部が必要となるため、本体ケースの体積やコスト上においてデメリットがある。
【００１０】
【特許文献１】
特開２０００−２５３１２４号公報（第２頁及び第３頁、第１図及び第２図）
【特許文献２】
特開２００２−２７１６７９号公報（第３頁及び第４頁、第１図及び第６図）
【００１１】
【発明が解決しようとする課題】
このように、これまでの技術では、同一の筐体にレンズと撮像素子からなるカメラモジュールを設けた構造であるため、メガピクセルでの撮影用に高解像度レンズを使用する場合は、筐体の厚みが厚くなり、筐体全体の薄型化を実現することができない。
【００１２】
特に、近年、ユーザーの要望などによって、携帯電話機の薄型化の要求があるため、非常に限られたスペースでカメラ機能部を搭載させる必要性があり、この要求をできる限り満たす工夫がなされている。
【００１３】
そこで、本発明は、このような課題に鑑みてなされたものであり、筐体の厚みを厚くすることなくカメラ機能部の光学特性を簡単に切り替えることができ、また、種々の特殊な画像を撮影することができるカメラ付携帯端末装置を提供することを目的とする。
【００１４】
【課題を解決するための手段】
本発明は、二つの筐体からなる端末本体にカメラ機能部が設けられたカメラ付携帯端末装置である。この端末本体に設けられたカメラ機能部は、一方の筐体に回転自在に設けられた回転体と、この回転体に固定され、該回転体の回転によって一方の筐体の表面と裏面にそれぞれ撮像面を向ける撮像素子と、二つの筐体が重ねられたときに前記撮像素子と対向配置されて撮影可能状態となる、他方の筐体に設けられた第１のレンズとを有している。
【００１５】
本発明の携帯端末装置によれば、一方の筐体に回転自在に設けた回転体に撮像素子を固定し、該撮像素子が設けられた筐体とは別の筐体に第１のレンズを設けた構成としたので、レンズと撮像素子をモジュール化して同一の筐体に設けたものに比べて、端末本体全体の厚みを薄くできる。
【００１６】
【発明の実施の形態】
以下、本発明を適用した具体的な実施の形態について図面を参照しながら詳細に説明する。本実施の形態は、一方の筐体に撮像素子を設け、他方の筐体にレンズを設けることによって、端末本体全体の薄型化を図ったものである。
【００１７】
［カメラ付携帯端末装置の構成］
本実施の形態のカメラ付携帯端末装置１は、図１に示すように、一方の筐体である第１の筐体２と他方の筐体である第２の筐体３とにより端末本体を構成し、お互いの連結部分に設けられた回転機構部４を中心として水平方向に回動自在とされ、第１の筐体２の上に第２の筐体３が重ねられた状態と、第１の筐体２と第２の筐体３が所定角度に開いた状態とされる、いわゆる面内方向で折り畳み自在な携帯端末装置である。このカメラ付携帯端末装置１には、例えば人や風景などの被写体を撮影するためのカメラ機能部が設けられている。
【００１８】
カメラ機能部は、第１の筐体２に回転自在に設けられた回転体と、この回転体の内部に固定される撮像素子（センサー素子）と、第１の筐体２と第２の筐体３が重ねられたときに前記撮像素子と対向配置されて撮影可能状態となる、前記第２の筐体３に設けられた第１のレンズ５と、前記回転体の回転によって前記撮像素子と対向配置されて撮影可能となる、第１の筐体２に固定された第２のレンズとを有している。
【００１９】
回転体６は、図２及び図３に示すように、内部を空洞とした円筒体として形成されており、その軸芯方向の一端側に、この回転体６を回転させるためのダイヤル部７を有している。ダイヤル部７は、回転体６の直径よりも若干大きな径とした円盤として形成されている。このダイヤル部７の外周部には、指などによって回転体６を回転させ易くするための突起部８が形成されている。
【００２０】
そして、この回転体６の軸芯方向における両端部には、当該回転体６を回転自在に支持するための図示しない軸受けに支持される回転軸９ａ，９ｂが形成されている。一方の回転軸９ａは、回転体６の他端側に形成され、他方の回転軸９ｂは、ダイヤル部７に形成されている。また、この回転体６には、当該回転体６の内部に固定された撮像素子１０の撮像面１０ａと対向する位置に、この撮像面１０ａを外方へ望ませるための撮影用孔部１１が形成されている。
【００２１】
撮像素子１０は、図２及び図３に示すように、回転体６の内部に固定された基板１２上に設けられている。かかる撮像素子１０には、例えばＣＭＯＳやＣＣＤで代表される半導体素子が使用される。この半導体素子は、シリコンチップのみの場合、例えば１００万画素程度のもので、厚みが０．５ｍｍ程度で３〜４ｍｍ四方のサイズである。したがって、通常の２つ折りに折り畳み可能とされた携帯電話機の片側筐体の実用的な厚みである８〜１０ｍｍのスペース内には充分入る大きさである。
【００２２】
このように、回転体６の内部に固定された基板１２上の撮像素子１０は、当該回転体６が回転すると、この回転体６に伴って回転し、その撮像面１０ａを図３（ａ），（ｂ）で示すように第１の筐体２の表面２ａまたは裏面２ｂに向けることになる。
【００２３】
第１の筐体２の表面２ａには、図１に示すように、ダイヤル部７の一部が突出している。ユーザは、このダイヤル部７を指などで回転させることによって、第１の筐体２内に内蔵させた回転体６を回転させて撮像素子１０の向きを変えることができる。また、第１の筐体２の表面２ａには、撮像素子１０の撮像面１０ａを外方へ臨ませるための孔部１３が形成されている。この孔部１３には、回転体６内または第１の筐体２内への塵埃などの侵入を防止するための透明なガラスやプラスチックなどからなる板（図示は省略する）が嵌め込まれている。また、第１の筐体２の表面２ａには、マイクロフォン１４やテンキー１５などが設けられている。
【００２４】
この一方、第１の筐体２の裏面２ｂには、図３及び図４に示すように、第２のレンズ１６が設けられている。第２のレンズ１６は、第１の筐体２の裏面２ｂの一部を膨出させた膨出部１７の先端に突出形成されたレンズ収容部１８に固定されている。この第２のレンズ１６は、前記回転体６を回転させても動かないようになっている。かかる第２のレンズ１６は、低・中解像度撮影用のレンズであり、例えば凸レンズなどの１枚のレンズからなる。ここで定義する低・中解像度撮影用のレンズは、例えば３０万画素程度の解像度を持つレンズである。この程度の解像度のレンズであれば、複数のレンズを必要としないため、上記した程度の厚みを持った筐体でも充分に、この第２のレンズ１６を第１の筐体２に設置することができる。
【００２５】
なお、第１の筐体２の裏面２ｂには、ユーザがダイヤル部７を指などで回転させることによって、当該第１の筐体２内に内蔵させた回転体６を回転させて撮像素子１０の向きを変えるための該ダイヤル部７の一部が突出している。また、この第１の筐体２の裏面２ｂには、例えばカメラ機能部によって撮影するときにモニターとして利用し得る表示装置である第２の表示部１９が設けられている。第２の表示部１９は、サブ液晶として利用されるものである。
【００２６】
第１のレンズ５は、図１、図５及び図６に示すように、第２のレンズ１６よりも解像度の高い高解像度撮影用のレンズであり、複数枚のレンズから構成されている。本実施の形態では、第１のレンズ５を３枚のレンズ５ａ、５ｂ、５ｃで構成し、これら３枚のレンズ５ａ、５ｂ、５ｃを、第２の筐体３内に設けたレンズ支持部材２０に固定させている。ここで定義する高解像度撮影用のレンズは、例えば１００万画素（メガピクセル）程度の解像度を持つレンズである。１００万画素程度の解像度の場合、３つのレンズ５ａ、５ｂ、５ｃを所定間隔（所定ギャップ）を持って重ねた場合には５〜８ｍｍ程度の厚みを必要とするが、筐体の厚みが９〜１０ｍｍ程度であれば充分に第１のレンズ５を第２の筐体３に収容することができる。
【００２７】
第２の筐体３の表面３ａから裏面３ｂに順次所定間隔を置いて配置固定されたレンズ５ａ、５ｂ、５ｃのうち、表面３ａに近い側のレンズ５ａと中間のレンズ５ｂとが結像レンズとされ、裏面３ｂに近い側のレンズ５ｃが補正レンズとされている。結像レンズとして機能する２つのレンズ５ａ、５ｂは、２枚で凸レンズの役目をし、主に結像に寄与する。補正レンズとして機能するレンズ５ｃは、前記２つのレンズ５ａ、５ｂで結像された光の光路長などを調整し、その奥にある撮像素子１０の撮像面１０ａに焦点を合わせる役目をする。
【００２８】
高解像度撮影用のレンズ５ａ、５ｂ、５ｃは、光軸と呼ばれる中心線の精度が要求され、１００万画素程度の解像度の場合、半径方向に約１０μｍずれた場合でも収差などの解像度劣化を生じる。但し、解像度劣化が生じるのはレンズ５ａ、５ｂ、５ｃ間の光軸ずれが起こる場合であり、レンズ５ａ、５ｂ、５ｃと撮像素子１０間の光軸がずれたとしても撮像面１０ａ上での結像位置がずれるのみで解像度劣化は生じない。本実施の形態では、これら３枚のレンズ５ａ、５ｂ、５ｃは、それぞれの位置を固定するレンズ支持部材２０に位置決め配置されているため、第１の筐体２と第２の筐体３の重なり合う位置が多少ずれた場合でも解像度劣化は起こらない。
【００２９】
なお、第２の筐体３の表面３ａと裏面３ｂには、それぞれレンズ５ａ、５ｂ、５ｃを外方に臨ませるための開口孔２１、２２が形成されている。また、第２の筐体３の表面３ａには、カメラ機能部によって撮影するときにモニターとして利用し得る表示装置である第１の表示部２３が設けられている。この第１の表示部２３は、通常、通話する場合や電子メールを作成する場合の表示画面として使用されるが、カメラ撮影時には、モニターとして利用される。また、この第２の筐体３の表面３ａには、スピーカ２４が設けられている。
【００３０】
以上のようにして構成されたカメラ付携帯端末装置１では、撮像素子１０を第１の筐体２に設け、第１のレンズ５を第２の筐体３に設けた構成、つまり撮像素子１０と第１のレンズ５を分離して設けたので、端末本体全体の厚みを薄くすることができる。すなわち、従来は、レンズと撮像素子を一体化したカメラモジュールとして一方の筐体に内蔵させていたため、前記レンズを高解像度用のレンズとした場合、複数枚のレンズから構成されるため、どうしても筐体の厚みが厚くなってしまう。しかしながら、本実施の形態のカメラ付携帯端末装置１では、一方の筐体（第１の筐体２）に撮像素子１０を設け、他方の筐体（第２の筐体３）にレンズ（第１のレンズ５）を設けているため、両方の筐体２，３を合わせた端末本体全体の厚みを薄くすることができる。
【００３１】
［カメラ撮影動作］
次に、上述のように構成されたカメラ付携帯端末装置１でのカメラ撮影動作について説明する。
【００３２】
図５に示すように、第１の筐体２と第２の筐体３を重ね合わせ、ダイヤル部７を指などで操作して回転体６を回転させることによって、撮像素子１０を第１のレンズ５と対向させる。撮像素子１０と第１のレンズ５が直線上に並び、且つ撮像素子１０の撮像面１０ａが第１のレンズ５の方向を向いているときに、第１のレンズ５を通して撮影が可能となる。
【００３３】
図５では、３枚のレンズ５ａ、５ｂ、５ｃからなる第１のレンズ５を介して撮影されるため、高解像度の撮影を行うことができる。この例では、ダイヤル部７を回して回転する回転体６に固定された撮像素子１０は、第１のレンズ５の焦点の当たる位置に置かれ、その焦点が撮像面１０ａの全面に結ばれるようになっている。ユーザは、第２の筐体３に設けられた第１の表示部２３に表示された被写体を見ながら、その被写体を撮影することができる。図５の使用形態は、例えば自画像を撮影する場合に好適である。この場合には、自画像は、高解像度で撮影されることになる。
【００３４】
図６では、撮像素子１０と第２のレンズ１６が直線上に並び、且つ撮像素子１０の撮像面１０ａが第２のレンズ１６の方向を向いているときに、第２のレンズ１６を通してカメラ撮影が可能となる。図６では、１枚のレンズからなる第２のレンズ１６を通して撮影されるため、低・中解像度の撮影を行うことができる。この例では、ダイヤル部７を回して回転する回転体６に固定された撮像素子１０は、第２のレンズ１６の焦点の当たる位置に置かれ、その焦点が撮像面１０ａの一部に結ばれるようになっている。
【００３５】
なお、第２のレンズ１６は、１枚レンズのため収差などの影響により、撮像面１０ａ上に焦点を結像させた場合でも焦点が数画素分に亘って広がり、図５の場合ほど解像度が上がらない。但し、この場合は、数画素を１画素として扱えるため、感度向上が期待できる。また、第２のレンズ１６を通して撮影を行う場合は、第１の筐体２と第２の筐体３が重ねられた状態またはこれら第１の筐体２と第２の筐体３が開いた状態の何れの場合でも撮影することができる。
【００３６】
この例では、ユーザは、第２の筐体３に設けられた第１の表示部２３に表示された被写体を見ながら、その被写体を撮影することができる。図６の使用形態は、例えば風景などを撮影する場合に好適である。この場合には、風景などは、低・中解像度で撮影されることになる。また、図６の使用形態においては、第１の筐体２に設けられた第２の表示部１９を見ながら自画像を撮影することもできる。この場合の自画像は、低・中解像度での撮影となる。
【００３７】
また、第１の筐体２と第２の筐体３を開いてカメラ撮影する場合には、第２の筐体３に設けられた第１の表示部２３を見ながら第２のレンズ１６を通して撮影することもできる。その場合は、低・中解像度撮影用の第２のレンズ１６を通して風景などの撮影が行える。同じく、第１の筐体２と第２の筐体３を開いた状態でカメラ撮影する場合、第１の筐体２に設けられた第２の表示部１９を見ながら自画像を撮影することもできる。
【００３８】
このように、第２の表示部１９を第１の筐体２に設けることによって、撮影バリエーションがより一層増え、ユーザに対してカメラ撮影に対する付加価値を高めることができる。
【００３９】
［その他の実施の形態］
以上、本発明を適用した具体的な実施の形態について説明したが、本発明は、上述の実施の形態に制限されることなく種々の変更が可能である。
【００４０】
例えば、図７に示すように、第１の筐体２には、高解像度撮影用の第１のレンズ５を設け、第２の筐体３には、回転体６、撮像素子１０及び第２のレンズ１６を設けるようにしてよい。
【００４１】
この図７の場合、第１のレンズ５を通してカメラ撮影するには、第１の筐体２と第２の筐体３を重ね合わせ、ダイヤル部７を回転操作して回転体６を回転させて撮像素子１０を第１のレンズ５と対向させる。これにより、第１の表示部２３に表示された風景などの被写体を見ながら高解像度用の第１のレンズ５を通しての撮影が可能となる。
【００４２】
第２のレンズ１６を通してカメラ撮影するには、第１の筐体２と第２の筐体３を重ね合わせるか、または第１の筐体２と第２の筐体３を開いた状態とし、ダイヤル部７を回転操作して回転体６を回転させて撮像素子１０を第２のレンズ１６と対向させる。これにより、第１の表示部２３または第２の表示部１９に表示された自画像または風景などの被写体を見ながら低・中解像度用の第２のレンズ１６を通しての撮影が可能となる。
【００４３】
第１の筐体２と第２の筐体３を重ね合わせて閉じた状態でカメラ撮影をする場合は、第１の表示部２３を見ながらの自画像の撮影、または第２の表示部１９を見ながらの風景などの撮影になる。第１の筐体２と第２の筐体３を開いた状態でカメラ撮影する場合は、第２の表示部１９を見ながらの風景などの撮影、または第１の表示部２３を見ながらの自画像の撮影になる。
【００４４】
図８は、第１のレンズ５を、第２の筐体３に対して着脱自在な構造とした例を示す。第１のレンズ５は、図９に示すように、光学特性の異なる２種類の特殊レンズ２５、２６で、これら特殊レンズ２５、２６をレンズ保持部材２７に保持させている。レンズ保持部材２７は、第１の筐体２の側面に形成されたスロット２８に挿入され得る程度の大きさとされた長方体形状をなし、所定位置に形成したそれぞれのレンズ装着孔２９に前記特殊レンズ２５、２６を固定させている。そして、これら特殊レンズ２５、２６は、複数枚のレンズが光軸ずれしないように各レンズの中心線を固定したまま前記レンズ装着孔２９に固定されている。
【００４５】
第１の筐体２の表面２ａには、前記スロット２８が形成された位置に、特殊レンズ２５、２６を外方へ臨ませるための開口孔３０が形成されている。レンズ保持部材２７をスロット２８の奥まで挿入させると、挿入方向手前側の特殊レンズ２６が前記開口孔３０と対向する位置に設けられ、レンズ保持部材２７をスロット２８の中途部まで挿入させると（図８に示す状態）、挿入方向奥側の特殊レンズ２５が前記開口孔３０と対向する位置に設けられる。
【００４６】
なお、レンズ保持部材２７は、それぞれの特殊レンズ２５、２６が開口部３０と対向した位置にあるときにはスロット２８から不用意に取り出し不可能なようにロック手段（図示は省略する）によってロックされている。ロックを解除するには、レンズ保持部材２７を押し込むことによって解除する。この操作によって、スロット２８からレンズ保持部材２７を取り出すことができる。
【００４７】
この実施の形態のように、光学特性の異なる２種類の特殊レンズ２５、２６を固定させたレンズ保持部材２７をスロット２８に挿入し、撮影の用途に応じてそのレンズ保持部材２７のスロット２８への挿入位置を決定すれば、１つの撮像素子１０で３種類の特殊撮影を行うことができる。例えば、一方の特殊レンズ２５を望遠レンズとし、他方の特殊レンズ２６を近接ズームレンズ（マクロレンズ）とすることで、望遠撮影及びマクロ撮影を１台のカメラ付携帯端末装置１で実現できる。この他、特殊レンズ２５、２６として広角レンズや魚眼レンズなどをレンズ装着孔２９に嵌め込んだレンズ保持部材２７を別途用意しておけば、撮影用途に応じて数種類用意したレンズ保持部材２７の中から所望のレンズ保持部材２７を選択し、その選択したレンズ保持部材２７をスロット２８に抜き差しすることで、光学特性の異なる種々の画像の撮影を簡単に実現できる。
【００４８】
図１０は、略円盤形状のダイヤル３１に、光学特性の異なる４種類の特殊レンズ３２、３３、３４、３５を円環状に配置し、ダイヤル３１を回転させて撮影する用途に応じたこれら特殊レンズ３２、３３、３４、３５の中から選択したレンズを、前記第１の筐体２に形成した開口孔３０と対向配置させることにより、カメラ撮影を行うように構成した例である。
【００４９】
ダイヤル３１は、図１０及び図１１に示すように、中心部に形成された回転軸３６を有し、その回転軸３６を中心として前記第１の筐体２内で回転自在とされている。このダイヤル３１の外周部には、指などによって当該ダイヤル３１を回転させ易くするための突起部３７が形成されている。そして、このダイヤル３１には、所定位置に形成されたレンズ装着孔３８に前記特殊レンズ３２、３３、３４、３５を固定させている。
【００５０】
なお、ダイヤル３１は、それぞれの特殊レンズ３２、３３、３４、３５が開口部３０と対向した位置にあるときには、その位置がずれないように回転防止手段（図示は省略する）によってロックされる。このように、ダイヤル３１をロックしておけば、不用意にダイヤル３１に触ってしまって撮影時に特殊レンズ３２、３３、３４、３５と開口部３０との位置ずれを防止できる。
【００５１】
この実施の形態のように、第１の筐体２内に回転自在に設けたダイヤル３１に、光学特性の異なる数種類の特殊レンズ３２、３３、３４、３５を固定させておけば、ダイヤル３１を回すだけで撮影用途に応じたカメラ撮影を簡単に実現することができる。特に、この実施の形態では、特殊レンズ３２、３３、３４、３５を第１の筐体２に対して抜き差しする必要がないため、使い勝ってが良く、取り扱い性も向上する。
【００５２】
図１２及び図１３は、第１の表示部２３が設けられた第２の筐体３に対して、テンキー１５が設けられた第１の筐体２をスライド自在に収納可能とする、いわゆるスライド式のカメラ付携帯端末装置１に、本発明を適用した例である。
【００５３】
このカメラ付携帯端末装置１では、図１のカメラ付携帯端末装置１と同様に、第１の筐体２に回転体６、撮像素子１０及び第２のレンズ１６が設けられ、第２の筐体３に第１のレンズ５が設けられた構成とされており、第１の筐体２が第２の筐体３に対してスライド自在である他は図１のカメラ付携帯端末装置１と同じである。
【００５４】
図１２に示すように、第１の筐体２が第２の筐体３から引き出された状態にある場合は、ダイヤル部７の回転操作によって回転された回転体６に固定された撮像素子１０を第２のレンズ１６と対向する位置に配置させることによって、第１の表示部２３に表示された被写体を見ながら風景などの被写体を撮影することができる。
【００５５】
図１３に示すように、第１の筐体２が第２の筐体３に収納された状態にある場合は、第１のレンズ５を通しての撮影と、第２のレンズ１６を通しての撮影が行える。第１のレンズ５を通して撮影を行う場合は、ダイヤル部７を操作して回転体６を回転させ、この回転体６に固定された撮像素子１０を第１のレンズ５と対向させた位置に配置させることによって、第１の表示部２３に表示された被写体を見ながら自画像などを撮影することができる。
【００５６】
この一方、第２のレンズ１６を通して撮影を行う場合は、ダイヤル部７を操作して回転体６を回転させ、この回転体６に固定された撮像素子１０を第２のレンズ１６と対向させた位置に配置させることによって、風景などを撮影することができる。
【００５７】
なお、このスライド式のカメラ付携帯端末装置１においては、前述した例のように、第１の筐体２には第１のレンズ５を設け、第２の筐体３には回転体６、撮像素子１０及び第２のレンズ１６を設けるようにしても構わない。そうすることによって、風景などを撮影する場合は、第１のレンズ５を通した高解像度で撮影することができ、自画像などを撮影する場合は、第２のレンズ１６を通した低・中解像度で撮影することができる。
【００５８】
また、このスライド式のカメラ付携帯端末装置１においては、図８で示したような数種類の特殊レンズ２５、２６を保持したレンズ保持部材２７を抜き差しするようにしても良いし、図１０で示したような光学特性の異なる特殊レンズ３２、３３、３４、３５を保持させたダイヤル３１を回転させることによって、撮影用途に応じたレンズを選択してカメラ撮影を行うようにしてもよい。または、第１の筐体２の裏面２ｂに、サブ液晶としての第２の表示部１９を設けるようにしてもよい。
【００５９】
以上は、本発明を携帯電話機に適用した例としたが、ＰＤＡ（Ｐｅｒｓｏｎａｌ  Ｄｉｇｉｔａｌ  Ａｓｓｉｓｔａｎｔ  ）などの携帯端末装置に本発明を適用しても同様の作用効果が得られる。特に、通信機能を備えたＰＤＡでは、カメラ撮影した画像を電子メールによって任意の相手に送信することが可能となる。
【００６０】
【発明の効果】
本発明のカメラ付携帯端末装置によれば、撮像素子を一方の筐体に固定し、第１のレンズを別の筐体に分離して設けたので、これら撮像素子とレンズを一体化したカメラモジュールを同一の筐体に配置する場合に比べて、二つの筐体からなる端末本体全体の厚みを薄くすることができる。
【００６１】
また、本発明のカメラ付携帯端末装置によれば、上記した効果に加えて、撮像素子を回転体に固定して回転自在とし、光学特性の異なる第１のレンズと第２のレンズとを別々の筐体に配置し、撮影用途に応じて回転体を回転させてそれぞれのレンズに撮像素子を対向配置させて撮影可能としているので、１つの撮像素子で複数種類の撮影を行うことができ、ユーザにカメラ撮影時の付加価値を与えることができると共に、カメラ機能部のコストを大幅に削減することができる。
【図面の簡単な説明】
【図１】本発明のカメラ付携帯端末装置において、第１の筐体と第２の筐体を所定角度に開いた状態を示す斜視図である。
【図２】本発明のカメラ付携帯端末装置における回転体の斜視図である。
【図３】本発明のカメラ付携帯端末装置において、第１の筐体内に回転自在に設けられた回転体が配置された部分の要部拡大断面図であり、（ａ）は撮像素子が第２のレンズに向いた状態、（ｂ）は撮像素子が第１の筐体の表面に形成された孔部に向いた状態である。
【図４】本発明のカメラ付携帯端末装置において、第２の筐体の裏面側に設けられた第２のレンズ部分を拡大して示す斜視図である。
【図５】本発明のカメラ付携帯端末装置において、第１のレンズを通して高解像度でカメラ撮影を行う状態を示す要部拡大断面図である。
【図６】本発明のカメラ付携帯端末装置において、第２のレンズを通して低・中解像度でカメラ撮影を行う状態を示す要部拡大断面図である。
【図７】本発明のカメラ付携帯端末装置の他の例を示し、第１の筐体に高解像度撮影用の第１のレンズを設け、第２の筐体に回転体、撮像素子及び第２のレンズを設けたカメラ付携帯端末装置の斜視図である。
【図８】本発明のカメラ付携帯端末装置の他の例を示し、第１のレンズを第２の筐体に対して着脱自在な構造とした要部拡大平面図である。
【図９】図８のカメラ付携帯端末装置のスロットに抜き差しされる、光学特性の異なる数種類の特殊レンズを取り付けたレンズ保持部材の一例を示す図である。
【図１０】本発明のカメラ付携帯端末装置の他の例を示し、ダイヤルに設けた第１のレンズを第１の筐体に対して回転自在な構造とした要部拡大平面図である。
【図１１】図１０のカメラ付携帯端末装置に回転自在に取り付けられる、光学特性の異なる数種類の特殊レンズを円環状に配置させたダイヤルを示す図である。
【図１２】本発明のカメラ付携帯端末装置の他の例を示し、表示部が設けられた第２の筐体に対して、テンキーが設けられた第１の筐体をスライド自在に収納可能とする、いわゆるスライド式の携帯端末装置の斜視図である。
【図１３】図１２のスライド式の携帯端末装置において、第２の筐体に第１の筐体を収納させて閉じた状態を裏面側から見たときの斜視図である。
【符号の説明】
１…携帯端末装置
２…第１の筐体
３…第２の筐体
５…第１のレンズ（高解像度用のレンズ）
６…回転体
７…ダイヤル部
１０…撮像素子
１６…第２のレンズ（低・中解像度用のレンズ）
２５，２６，３２，３３，３４，３５…特殊レンズ
２７…レンズ保持部材
２８…スロット
３１…ダイヤル
【図１】
2004325931.tif 000003
【図２】
2004325931.tif 000004
【図３】
2004325931.tif 000005
【図４】
2004325931.tif 000006
【図５】
2004325931.tif 000007
【図６】
2004325931.tif 000008
【図７】
2004325931.tif 000009
【図８】
2004325931.tif 000010
【図９】
2004325931.tif 000011
【図１０】
2004325931.tif 000012
【図１１】
2004325931.tif 000013
【図１２】
2004325931.tif 000014
【図１３】
2004325931.tif 000015